(57)【要約】【課題】  データフォーマットの種類に応じてメモリ格納アドレスが異なる光ディスクにおいて、転送レートが高くなった場合でもデータ転送を行うことができるデータ転送装置を提供する。【解決手段】  光ディスクの再生信号を復調し、復調データ８と同期検出信号１３を出力する復調回路１と、前記復調回路１から出力される前記同期検出信号１３を用いて、前記復調回路１から出力される復調データのメモリ格納アドレス９を生成するメモリ格納アドレス生成回路３とを備え、前記復調回路１からの同期検出信号１３を用いて復調データのメモリ格納アドレス９を復調データ８と同時に生成するようにした。【選択図】  図２
2006099899.tif 000002
【特許請求の範囲】
【請求項１】
光ディスクの復調したデータを転送するデータ転送装置において、
光ディスクの再生信号を復調し、復調データと同期検出信号を出力する復調回路と、
前記復調回路から出力される前記同期検出信号を用いて、前記復調回路から出力される復調データのメモリ格納アドレスを生成するメモリ格納アドレス生成回路とを備え、
前記復調回路からの同期検出信号を用いて復調データのメモリ格納アドレスを復調データと同時に生成する、
ことを特徴とするデータ転送装置。
【請求項２】
請求項１記載のデータ転送装置において、
復調回路からの復調データを該復調データのメモリ格納アドレスに基づいて選択し出力する復調データ選択回路と、
前記復調データ選択回路が出力する復調データを格納する複数のデータＦＩＦＯと、
前記メモリ格納アドレスを格納する複数のアドレスＦＩＦＯとを備え、
前記復調データ選択回路が出力する復調データを前記データＦＩＦＯに格納し、前記メモリ格納アドレス生成回路が出力する前記復調データのメモリ格納アドレスを前記アドレスＦＩＦＯに格納し、複数バイトの復調データとメモリ格納アドレスを同期させて転送する、
ことを特徴とするデータ転送装置。
【請求項３】
請求項２記載のデータ転送装置において、
前記復調データ選択回路は、復調データを前記復調データのメモリ格納アドレスに基づき、光ディスクのデータフォーマット情報に応じた選択をし、復調データを出力する、
ことを特徴とするデータ転送装置。
【請求項４】
請求項１記載のデータ転送装置において、
前記復調データに同期して送られるメモリ格納アドレスを使用してデータ転送を制御するＤＭＡ制御手段を備えた、
ことを特徴とするデータ転送装置。
【発明の詳細な説明】
【技術分野】
【０００１】
本発明は、データ転送装置に関し、特に光ディスクに書き込まれた情報を復調したデータに対して、復調回路から得られる同期検出信号を用いて、データのメモリ格納アドレスを生成し、データとメモリ格納アドレスを個別に同時に転送するデータ転送装置に関するものである。
【背景技術】
【０００２】
従来技術によれば、光ディスクに書き込まれた情報の復調データを複数のレジスタに１バイト単位で格納し、ｍバイト分が格納されたときにｍバイトのデータをパラレルで出力し、４個のレジスタアレイに格納し、ｍバイト幅のデータバスで転送を行っている。
【０００３】
図１は、従来のデータ転送装置の構成例を示すブロック図である。
図１において、１は復調回路であり、光ディスクの再生信号を復調する。
４はＦＩＦＯであり、復調回路１からの復調データ８を格納する。
【０００４】
２は復調データ選択回路であり、ＦＩＦＯ４からの１バイトの復調データ１４を選択する。
６はＤＭＡ（Ｄｉｒｅｃｔ  Ｍｅｍｏｒｙ  Ａｃｃｅｓｓ）制御手段であり、第１〜第３のメモリ領域７ａ、７ｂ、７ｃへ第１〜第３の複数バイトの復調データ１１ａ、１１ｂ、１１ｃをそれぞれ転送する。
【０００５】
７ａ、７ｂ、７ｃは第１〜第３のメモリ領域であり、第１〜第３の複数バイトの転送データ１１ａ、１１ｂ、１１ｃをそれぞれ格納する。
【０００６】
ここで、ＦＩＦＯ４は、復調回路１からの復調データ８を１バイトずつ転送させるものであり、ＦＩＦＯ４から出力される復調データ１４は１バイト単位で復調データ選択回路２に転送される。
【０００７】
復調データ選択回路２では、復調回路１より入力される同期検出信号１３に基づいて、同期検出信号１３の入力から次の入力までの１バイト単位で転送される復調データ１４の転送総バイト数が、再生している光ディスクのデータフォーマットで規定されるバイト数を満たしているかどうかを計算する。復調データ１４の転送バイト数に不足あるいは超過がある場合は、ＤＭＡ制御手段６はデータフォーマットに応じて、転送データを規定からの差分だけずらしたメモリアドレスを計算して生成し、第１〜第３の複数バイトの復調データ１１ａ、１１ｂ、１１ｃをそれぞれ第１〜第３のメモリ領域７ａ、７ｂ、７ｃに格納する。
【特許文献１】特開平１０−２６０７８６号公報
【発明の開示】
【発明が解決しようとする課題】
【０００８】
しかしながら、図１に示す従来のデータ転送装置では、フレーム内のデータが複数の種類に分かれているデータフォーマットの光ディスクを再生するときに、復調したデータは１バイトごとにＦＩＦＯ４に格納され、そのデータに応じたメモリ格納アドレスに１バイト毎に格納しているが、転送レートが大きくなると、データ転送が途切れて間に合わなくなるという問題があった。
【０００９】
本発明は、上記のような従来の問題点を解決するためになされたもので、転送レートが高くなっても、データが途切れず転送を行うことができるデータ転送装置を得ることを目的とする。
【課題を解決するための手段】
【００１０】
転送レートが高くなっても、データが途切れず転送が行えるように、本発明のデータ転送装置では、復調したデータを各データの種類に応じて複数のＦＩＦＯに格納し、それと同時に、復調回路からの同期検出信号によりデータのメモリ格納アドレスを生成し、データと同じくＦＩＦＯに格納し、各ＦＩＦＯから複数バイト単位で対応したメモリアドレス領域に格納する構成で転送レートが大きい場合でも途切れずにデータ転送を行うようにする。
【００１１】
本発明の請求項１によるデータ転送装置は、光ディスクの復調したデータを転送するデータ転送装置において、光ディスクの再生信号を復調し、復調データと同期検出信号を出力する復調回路と、前記復調回路から出力される前記同期検出信号を用いて、前記復調回路から出力される復調データのメモリ格納アドレスを生成するメモリ格納アドレス生成回路とを備え、前記復調回路からの同期検出信号を用いて復調データのメモリ格納アドレスを復調データと同時に生成することを特徴とするものである。
【００１２】
本発明の請求項２によるデータ転送装置は、請求項１記載のデータ転送装置において、復調回路からの復調データを該復調データのメモリ格納アドレスに基づいて選択し出力する復調データ選択回路と、前記復調データ選択回路が出力する復調データを格納する複数のデータＦＩＦＯと、前記メモリ格納アドレスを格納する複数のアドレスＦＩＦＯとを備え、前記復調データ選択回路が出力する復調データを前記データＦＩＦＯに格納し、前記メモリ格納アドレス生成回路が出力する前記復調データのメモリ格納アドレスを前記アドレスＦＩＦＯに格納し、複数バイトの復調データとメモリ格納アドレスを同期させて転送することを特徴とするものである。
【００１３】
本発明の請求項３によるデータ転送装置は、請求項２記載のデータ転送装置において、前記復調データ選択回路は、復調データを前記復調データのメモリ格納アドレスに基づき、光ディスクのデータフォーマット情報に応じた選択をし、復調データを出力することを特徴とするものである。
【００１４】
本発明の請求項４によるデータ転送装置は、請求項１記載のデータ転送装置において、前記復調データに同期して送られるメモリ格納アドレスを使用してデータ転送を制御するＤＭＡ制御手段を備えたことを特徴とするものである。
【発明の効果】
【００１５】
本発明の請求項１によるデータ転送装置によれば、光ディスクの復調したデータを転送するデータ転送装置において、光ディスクの再生信号を復調し、復調データと同期検出信号を出力する復調回路と、前記復調回路から出力される前記同期検出信号を用いて、前記復調回路から出力される復調データのメモリ格納アドレスを生成するメモリ格納アドレス生成回路とを備え、前記復調回路からの同期検出信号を用いて復調データのメモリ格納アドレスを復調データと同時に生成するようにしたので、後のＤＭＡ制御手段の処理負荷を軽減することができるという効果がある。
【００１６】
本発明の請求項２によるデータ転送装置によれば、請求項１記載のデータ転送装置において、復調回路からの復調データを該復調データのメモリ格納アドレスに基づいて選択し出力する復調データ選択回路と、前記復調データ選択回路が出力する復調データを格納する複数のデータＦＩＦＯと、前記メモリ格納アドレスを格納する複数のアドレスＦＩＦＯとを備え、前記復調データ選択回路が出力する復調データを前記データＦＩＦＯに格納し、前記メモリ格納アドレス生成回路が出力する前記復調データのメモリ格納アドレスを前記アドレスＦＩＦＯに格納し、複数バイトの復調データとメモリ格納アドレスを同期させて転送するようにしたので、復調データを高いレートで転送することができるという効果がある。
【００１７】
本発明の請求項３によるデータ転送装置によれば、請求項２記載のデータ転送装置において、前記復調データ選択回路は、復調データを前記復調データのメモリ格納アドレスに基づき、光ディスクのデータフォーマット情報に応じた選択をし、復調データを出力するようにしたので、光ディスクのデータフォーマットのデータ領域ごとに複数のデータＦＩＦＯに復調データを転送することにより、データ転送の効率化を図ることができるという効果がある。
【００１８】
本発明の請求項４によるデータ転送装置によれば、請求項１記載のデータ転送装置において、前記復調データに同期して送られるメモリ格納アドレスを使用してデータ転送を制御するＤＭＡ制御手段を備えるようにしたので、復調データを高いレートで転送することができるという効果がある。
【発明を実施するための最良の形態】
【００１９】
以下、本発明の実施の形態について、図面を用いて説明する。
【００２０】
（実施の形態１）
図２は、本発明の実施の形態１に係るデータ転送装置の構成例を示すブロック図である。
図２において、１は復調回路であり、光ディスクの再生信号を復調する。
【００２１】
３はメモリ格納アドレス生成回路であり、復調回路１からの同期検出信号１３を用いて、１バイト分の復調データに対するメモリ格納アドレス９を生成する。
【００２２】
２は復調データ選択回路であり、１バイト分の復調データに対するメモリ格納アドレス９を用いて復調回路１からの復調データ８を選択し、第１〜第３の１バイトの復調データ１０ａ、１０ｂ、１０ｃを出力する。
【００２３】
４ａ、４ｂ、４ｃは第１〜第３のデータＦＩＦＯであり、復調データ選択回路２で選択された第１〜第３の１バイトの復調データ１０ａ、１０ｂ、１０ｃをそれぞれ格納する。
【００２４】
５ａ、５ｂ、５ｃは第１〜第３のアドレスＦＩＦＯであり、第１〜第３の１バイトの復調データ１０ａ、１０ｂ、１０ｃと同期したメモリ格納アドレス９を格納する。
【００２５】
１１ａ、１１ｂ、１１ｃは第１〜第３の複数バイトの復調データであり、第１〜第３のデータＦＩＦＯ４ａ、４ｂ、４ｃからそれぞれ転送される。
【００２６】
１２ａ、１２ｂ、１２ｃは第１〜第３の複数バイトの復調データのメモリ格納アドレスであり、第１〜第３のアドレスＦＩＦＯ５ａ、５ｂ、５ｃから転送される第１〜第３の複数バイトの復調データ１１ａ、１１ｂ、１１ｃにそれぞれ同期している。
【００２７】
６はＤＭＡ制御手段であり、第１〜第３のメモリ領域７ａ、７ｂ、７ｃへのデータ転送を制御する。
【００２８】
７ａ、７ｂ、７ｃは第１〜第３のメモリ領域であり、ＤＭＡ制御手段６から転送される第１〜第３の複数バイトの復調データ１１ａ、１１ｂ、１１ｃを格納する。
【００２９】
次に動作について説明する。
まず、メモリ格納アドレス生成回路３において、復調回路１からの同期検出信号１３を用いて、復調データ８に対するメモリ格納アドレス９を生成する。
【００３０】
続いて、復調データ選択回路２により、復調回路１からの復調データ８を、前記メモリ格納アドレス９に基づき、光ディスクのデータフォーマット情報に応じた選択をし、第１〜第３の１バイトの復調データ１０ａ、１０ｂ、１０ｃをそれぞれ第１〜第３のデータＦＩＦＯ４ａ、４ｂ、４ｃに格納するのと同時に、メモリ格納アドレス９を第１〜第３のアドレスＦＩＦＯ５ａ、５ｂ、５ｃに格納する。ここで、光ディスクのデータフォーマットは、複数のデータ領域を持っており、復調データ選択回路２は、データ領域ごとにデータを複数のデータＦＩＦＯに転送することにより、データ転送の効率化を図ることができる。
【００３１】
第１〜第３のデータＦＩＦＯ４ａ、４ｂ、４ｃに格納された第１〜第３の１バイトの復調データ１０ａ、１０ｂ、１０ｃは、第１〜第３の複数バイトのデータ１１ａ、１１ｂ、１１ｃとして、それぞれ複数バイト単位でＤＭＡ制御手段６に転送される。
【００３２】
また、第１〜第３のアドレスＦＩＦＯ５ａ、５ｂ、５ｃに格納されたメモリ格納アドレス９は、第１〜第３の複数バイトの復調データ１１ａ、１１ｂ、１１ｃに対応した複数バイト分のアドレスである、第１〜第３の複数バイトの復調データのメモリ格納アドレス１２ａ、１２ｂ、１２ｃとしてＤＭＡ制御手段６に転送される。
【００３３】
ＤＭＡ制御手段６はアドレス計算を行わずに、復調データに同期して送られる第１〜第３の複数バイトの復調データのメモリ格納アドレス１２ａ、１２ｂ、１２ｃを用いて、第１〜第３のメモリ領域７ａ、７ｂ、７ｃへの第１〜第３の複数バイトの復調データ１１ａ、１１ｂ、１１ｃの格納を制御する。
【００３４】
このように本実施の形態１によれば、光ディスクの再生信号を復調し、復調データ８と同期検出信号１３を出力する復調回路１と、前記復調回路１から出力される前記同期検出信号１３を用いて、前記復調回路１から出力される復調データのメモリ格納アドレス９を生成するメモリ格納アドレス生成回路３とを備え、前記復調回路１からの同期検出信号１３を用いて復調データのメモリ格納アドレス９を復調データ８と同時に生成するようにしたので、メモリ格納アドレス情報を復調データに同期させて転送させることによってＤＭＡ制御手段のアドレス計算処理の負荷を軽減させることができる。
【００３５】
また、本実施の形態１によれば、復調データを複数バイト毎に転送するため、高速なデータ転送を行うことができるという効果がある。
【産業上の利用可能性】
【００３６】
本発明に係るデータ転送装置は、復調回路でデータのメモリ格納アドレスを生成し、データとアドレスを同時に転送することで、ＤＭＡ制御手段の処理負荷を軽減し、高い転送レートでデータ転送をすることができる。
【図面の簡単な説明】
【００３７】
【図１】従来例のデータ転送装置の構成例を示すブロック図である。
【図２】本発明の実施の形態１に係るデータ転送装置の構成例を示すブロック図である。
【符号の説明】
【００３８】
１  復調回路
２  復調データ選択回路
３  メモリ格納アドレス生成回路
４  データＦＩＦＯ
４ａ  第１のデータＦＩＦＯ
４ｂ  第２のデータＦＩＦＯ
４ｃ  第３のデータＦＩＦＯ
５ａ  第１のアドレスＦＩＦＯ
５ｂ  第２のアドレスＦＩＦＯ
５ｃ  第３のアドレスＦＩＦＯ
６  ＤＭＡ制御手段
７ａ  第１のメモリ領域
７ｂ  第２のメモリ領域
７ｃ  第３のメモリ領域
８  復調データ
９  メモリ格納アドレス
１０ａ  第１の１バイトの復調データ
１０ｂ  第２の１バイトの復調データ
１０ｃ  第３の１バイトの復調データ
１１ａ  第１の複数バイトの復調データ
１１ｂ  第２の複数バイトの復調データ
１１ｃ  第３の複数バイトの復調データ
１２ａ  第１の複数バイトの復調データのメモリ格納アドレス
１２ｂ  第２の複数バイトの復調データのメモリ格納アドレス
１２ｃ  第３の複数バイトの復調データのメモリ格納アドレス
１３  同期検出信号
１４  １バイトの復調データ
【図１】
2006099899.tif 000003
【図２】
2006099899.tif 000004